(57)【要約】【課題】車両の内装パネルの開口部にタブレット型を含む携帯情報端末を装着、保持することができる携帯情報端末の車両内保持装置の提供を目的とする。【解決手段】車両の内装パネルの開口部に取り付けられる、携帯情報端末の車両内保持装置１０であって、四角形状の底部１２と、底部１２の周囲から立設された周壁部１３と、を備えた本体部１１と、底部１２の裏側に設けられ、内装パネルの開口内部の既存取付け部に取り付けられる取付け具２０と、を有し、底部１２は、一方の上部側の平坦部１２ａと、他方の傾斜部１２ｂとに区分けされ、傾斜部１２ｂは平坦部１２ａとの境界線１７から周壁部１２に向けて裏側に突き出るように傾斜する形状に形成される構成である。【選択図】図７
2019064347.tif 000002
【特許請求の範囲】
【請求項１】
車両の内装パネルの開口部に取り付けられる、携帯情報端末の車両内保持装置であって、
四角形状の底部と、該底部の周囲から立設された周壁部と、を備えた本体部と、
前記底部の裏側に設けられ、前記内装パネルの開口内部の既存取付け部に取り付けられる取付け具と、を有し、
前記底部は、上部側及び下部側の何れか一方の平坦部と、他方の傾斜部とに区分けされ、前記傾斜部は平坦部との境界から周壁部に向けて前記裏側に突き出るように傾斜する形状に形成される携帯情報端末の車両内保持装置。
【請求項２】
前記底部は、上部側の平坦部と、下部側の傾斜部とに区分けされている請求項１に記載の携帯情報端末の車両内保持装置。
【請求項３】
前記底部の左右の一方の端部側に上下周壁部間を覆う所定幅の帯状の蓋部が設けられ、
前記本体部に保持された前記携帯情報端末を前記一方の端部側へ移動させて前記帯状の蓋部と前記底部との間に前記携帯情報端末の端部が挿入可能に形成されている請求項１又は２に記載の携帯情報端末の車両内保持装置。
【請求項４】
前記帯状の蓋部と前記底部との間には、前記携帯情報端末の充電用及び通信用の少なくとも一方の接続端子が配置されている請求項３に記載の携帯情報端末の車両内保持装置。
【請求項５】
前記帯状の蓋部には、前記携帯情報端末の操作釦用の開口又は切欠きが形成されている請求項３又は４に記載の携帯情報端末の車両内保持装置。
【請求項６】
前記底部の裏側に、前記取付け具が着脱可能に装着される装着用リブが形成されている請求項１乃至５のいずれかに記載の携帯情報端末の車両内保持装置。
【請求項７】
前記取付け具は、前記内装パネルの内部の既存取付け部に螺着される請求項１乃至６のいずれかに記載の携帯情報端末の車両内保持装置。
【請求項８】
前記車両の内装パネルは、インストルメントパネルである請求項１乃至７の何れかに記載の携帯情報端末の車両内保持装置。
【発明の詳細な説明】
【技術分野】
【０００１】
本発明は、車両内の内装パネルの開口部に装着可能な、携帯情報端末の車両内保持装置に関するものである。
【背景技術】
【０００２】
近年、スマートフォン等を含む携帯情報端末には、ＧＰＳを利用したナビゲーション機能が備わっており、車載装置であるカーナビゲーション装置の代わりに当該携帯情報端末を用いて経路案内等を行うことが可能となっている。車両内において携帯情報端末をナビゲーション装置として利用し易いように、携帯情報端末を車両内部へ装着させるための装着装置が開示されている（特許文献１参照）。
【０００３】
上記特許文献１に開示の携帯端末の装着装置は、純正用のカーナビゲーション装置又はカーオーディオ装置等の車載装置を取り付けるために内装パネルであるインストルメントパネルに形成された開口部に装着されるものであり、当該装着装置に設けた取付け具に携帯情報端末を着脱可能に取り付けることが可能となっている。
【先行技術文献】
【特許文献】
【０００４】
【特許文献１】特開２０１７−５６８５２号公報
【発明の概要】
【発明が解決しようとする課題】
【０００５】
上記携帯端末の装着装置によれば、上記開口部を覆う蓋部の枠内にスマートフォンが装着されるので、外観上の見栄えも良く且つ運転者の操作性及び視認性も良好となる。しかしながら、スマートフォンよりもサイズの大きいタブレット型の携帯情報端末を装着しようとすると、取付け具に工夫を施しても装着装置の枠内に収まらない。例えば、取付け具を改良して装着可能としても、外部に突出した状態に装着されることになる。そのため、開口部周辺に設けた送風口を遮り、又は他の機器の操作の支障となるおそれがあり、更には突出した装着状態のため外観上の見栄えも損なわれることになる。純正用のカーオーディオ装置等を取り付けるインストルメントパネルの開口部は、通常、国際標準規格で定めたサイズであるが、ｉＰａｄ（登録商標）等のタブレット型の携帯情報端末の長手方向を横置きした状態であっても、当該開口部の縦方向の寸法が小さいため、当該開口部にそのまま収納することができない。
【０００６】
本発明は、車両の内装パネルの開口部にタブレット型を含む携帯情報端末を装着、保持することができる携帯情報端末の車両内保持装置の提供を目的とする。
【課題を解決するための手段】
【０００７】
上記課題を解決するために、本発明に係る携帯情報端末の車両内保持装置は、車両の内装パネルの開口部に取り付けられる、携帯情報端末の車両内保持装置であって、四角形状の底部と、該底部の周囲から立設された周壁部と、を備えた本体部と、前記底部の裏側に設けられ、前記内装パネルの開口内部の既存取付け部に取り付けられる取付け具と、を有し、前記底部は、上部側及び下部側の何れか一方の平坦部と、他方の傾斜部とに区分けされ、前記傾斜部は平坦部との境界から周壁部に向けて前記裏側に突き出るように傾斜する形状に形成される構成である。
【０００８】
このような構成によれば、携帯情報端末の車両内保持装置の本体部の底部は、傾斜部が平坦部との境界から周壁部に向けて前記裏側に突き出るように傾斜する形状に形成されるので、車両の内装パネルの開口部の縦方向のサイズが携帯情報端末のサイズより小さい場合でも、傾斜部に向けて携帯情報端末の端部を挿入するように斜めに入れてから立ち上げることで、本体部で携帯情報端末を保持することが可能となる。本体部に保持された携帯情報端末は、開口部よりサイズが大きいので、車内に飛び出し難い、安定した保持状態に置かれることになる。上記のように、本体部の底部は、上部側及び下部側の何れか一方が平坦部、他方が傾斜部であり、例えば上部側を平坦部、下部側を傾斜部とすると、携帯情報端末の端部を下部側の傾斜部に向けて斜めに挿入してから、携帯情報端末を立ち上げて保持することができ、また、例えば下部側を平坦部、上部側を傾斜部とすると、携帯情報端末の端部を上部側の傾斜部に向けて斜めに挿入してから、携帯情報端末を立ち上げて保持することができる。
【０００９】
本発明に係る携帯情報端末の車両内保持装置において、前記底部は、上部側の平坦部と、下部側の傾斜部とに区分けされている構成とすることができる。
【００１０】
このような構成によれば、底部の下部側に傾斜部が形成されているので、携帯情報端末を内装パネルの開口部の斜め上方から傾斜部に向けて挿入し、その後立上げることで、容易に本体部に保持させることができる。
【００１１】
本発明に係る携帯情報端末の車両内保持装置において、前記底部の左右の一方の端部側に上下周壁部間を覆う所定幅の帯状の蓋部が設けられ、前記本体部に保持された前記携帯情報端末を前記一方の端部側へ移動させて前記帯状の蓋部と前記底部との間に前記携帯情報端末の端部が挿入可能に形成されている構成とすることができる。
【００１２】
このような構成によれば、本体部に保持された携帯情報端末を左右の一方の端部側へ移動させて帯状の蓋部と底部との間に前記携帯情報端末の端部を挿入させることで、より安定的に保持させることができる。帯状の蓋部は、上記のように、本体部の左の端部側、又は右の端部側の何れでもよい。
【００１３】
本発明に係る携帯情報端末の車両内保持装置において、前記帯状の蓋部と前記底部との間には、前記携帯情報端末の充電用及び通信用の少なくとも一方の接続端子が配置されている構成とすることができる。
【００１４】
このような構成によれば、車両内保持装置に保持された携帯情報端末を充電させることができるので、電池切れを防止することができ、更には携帯情報端末からの楽曲等を車内スピーカーで聞くことができる。充電用及び通信用の双方が配置されていることが好ましい。
【００１５】
本発明に係る携帯情報端末の車両内保持装置において、前記帯状の蓋部には、前記携帯情報端末の操作釦用の開口又は切欠きが形成されている構成とすることができる。
【００１６】
このような構成によれば、携帯情報端末の端部を蓋部と底部との間に挿入したとしても、端部側にある操作釦（例えば、ホームボタン等）を操作できるように蓋部に開口又は切欠きが形成されているので、操作に支障が生じることがない。上述したように、帯状の蓋部は、本体部の左の端部側、又は右の端部側に設けられるので、蓋部に携帯情報端末の操作釦用の開口又は切欠きが形成されることから、操作釦（ホームボタン等）が左側又は右側となるように挿入、保持させることができる。
【００１７】
本発明に係る携帯情報端末の車両内保持装置において、前記底部の裏側に、前記取付け具が着脱可能に装着される装着用リブが形成されている構成とすることができる。
【００１８】
このような構成によれば、底部の裏側の装着用リブに取付け具を着脱可能に装着できるので、内装パネルの開口内部の既存取付け部に適合する取付け具を選択することが容易となる。例えば、車両の種類により既存取付け部のサイズ、位置等が異なっている場合でも。適合する取付け具を選択して装着することができる。
【００１９】
本発明に係る携帯情報端末の車両内保持装置において、前記取付け具は、前記内装パネルの内部の既存取付け部に螺着される構成とすることができる。
【００２０】
このような構成によれば、内装パネルの内部の既存取付け部に容易に取り付けすることができる。
【００２１】
本発明に係る携帯情報端末の車両内保持装置において、前記車両の内装パネルは、インストルメントパネルである構成とすることができる。
【００２２】
このような構成によれば、インストルメントパネルのカーナビゲーション装置又はカーオーディオ装置等の取付け用の開口部に、携帯情報端末の車両内保持装置を容易に取り付けることができ、さらに当該取付け位置であればエアコン等の送風の支障とならず、運転者の視認性、操作性も向上する。
【発明の効果】
【００２３】
本発明によれば、車両の内装パネルの開口部のサイズが携帯情報端末のサイズより小さい場合でも、傾斜部の方から携帯情報端末を挿入するように斜めに入れてから立ち上げることで、本体部で安定的に保持することが可能となる。
【図面の簡単な説明】
【００２４】
【図１】本発明の実施の形態に係る携帯情報端末の車両内保持装置における本体部の正面図である。
【図２】図１に示す携帯情報端末の車両内保持装置における本体部の裏面図である。
【図３】本発明の実施の形態に係る携帯情報端末の車両内保持装置における本体部の正面一部分解斜視図である。
【図４】図１に示す携帯情報端末の車両内保持装置における本体部に携帯情報端末を保持させる動作図（その１）である。
【図５】図１に示す携帯情報端末の車両内保持装置における本体部に携帯情報端末を保持させる動作図（その２）である。
【図６】図１に示す携帯情報端末の車両内保持装置における本体部に携帯情報端末を保持させる動作図（その３）である。
【図７】本発明の実施の形態に係る携帯情報端末の車両内保持装置の正面図である。
【図８】図７に示す携帯情報端末の車両内保持装置の裏面図である。
【図９】図８のＹ−Ｙ線矢視図である、
【図１０】本発明の実施の形態に係る携帯情報端末の車両内保持装置を取り付ける前の車両内部のインストルメントパネルの正面図である。
【図１１】図１０に示すインストルメントパネルのパネルカバーを取り外し、本発明の実施の形態に係る携帯情報端末の車両内保持装置を開口内部の既存取付け部に取り付けた状態の正面図である。
【図１２】図１１に示す状態の後にインストルメントパネルのパネルカバー取り付けた正面図である。
【図１３】図１２に示す車両内保持装置に携帯情報端末を収納して保持させた状態の正面図である。
【発明を実施するための形態】
【００２５】
本発明の実施の形態に係る携帯情報端末の車両内保持装置について図面を用いて説明する。携帯情報端末の車両内保持装置１０（以下、適宜「車両内保持装置１０」と略称する。）は、主として、携帯情報端末３０を収納、保持する本体部１１と、本体部１１の裏面に装着される取付け具２０と、を有する（図７〜図９参照）。最初に車両内保持装置１０の本体部１１について説明する。
【００２６】
図１〜図３おいて、車両内保持装置１０の本体部１１は、略長方形状となる底部１２と、底部１２の周囲端から立設する周壁部１３（１３ａ〜１３ｄ）と、底部１２の一部を覆うように周壁部１３の一部に取り付けられる帯状の蓋部１５と、帯状の蓋部１５と底部１２との間に設けられた充電及び通信用の接続端子１６と、を有する。
【００２７】
底部１２は横方向を長手方向とする略長方形状であり、その周囲に立設する周壁部１３は（図１の正面視において）、上側周壁部１３ａ、右側周壁部１３ｂ、下側周壁部１３ｃ及び左側周壁部１３ｄから成る。底部１２は、左右方向の中央の境界線１７から上の上部側が平坦部１２ａで、境界線１７から下部側が下側周壁部１３ｃに向けて底部１２の裏側に突き出るように傾斜する形状の傾斜部１２ｂで、更に下側周壁部付近に下側平坦部１２ｃが形成されている（図３参照）。また、蓋部１５の下の底部１２は、平坦部１２ａが上下方向に上側周壁部１３ａから下側周壁部１３ｃに至るまで連続して形成されている（図３参照）。なお、平坦部１２ａ、傾斜部１２ｂ及び下側平坦部１２ｃの位置は上記に限定されず、境界線１７から下を平坦部１２ａ、境界線１７から上を傾斜部１２ｂ（更に上側平坦部）としても良い。
【００２８】
底部１２の右端部側には、帯状の蓋部１５が右側周壁部１３ｂ、上側周壁部１３ａの一部及び下側周壁部１３ｃの一部と着脱可能な状態で係合している。この蓋部１５とその下の底部１２との間には、携帯情報端末の充電用及び通信用の接続端子１６が取り付けられている。接続端子１６には、右側周壁部１３ｂの一部切欠き（不図示）から本体部１１に導入された充電用の配線１８ａ、通信用の配線１８ｂが接続されている。さらに蓋部１５の左端中央付近には、半円形の切欠き部２７が形成されている。後述するように、蓋部１５の中に端部が挿入された携帯情報端末の操作ボタン（ホームボタン）の操作を確保するために設けられた切欠き部２７である。切欠き部２７の形状は半円形に限定されず、四角形等の形状でもよく、更には円形の切欠き孔であってもよい。なお、帯状の蓋部１５の位置は上記に限定されず、底部１２の左端部側に設けることもできる。
【００２９】
図２において、底部１２の裏側である裏面部１９は、上部側の平坦部１９ａ、下部側の傾斜部１９ｂ、傾斜部１９ｂの下の下側平坦部１９ｃで構成されている。なお、裏面部１９の下部側で、蓋部１５の真裏側の部分は平坦部１９ａが連続形成されている。傾斜部１９ｂは裏面部１９の下端側に向けて手前側への傾斜となっている。また、裏面部１９には、取付け具２０（図８参照）を装着するための装着リブ２１が形成されている。取付け具２０は、本体部１１を車両の内装パネル（インストルメントパネル）の開口内部の既存取付け部に取り付けるための部材であり、装着リブ２１のネジ穴２３（２３ａ〜２３ｄ）にネジ（不図示）により螺着される。装着リブ２１は、底部１２の裏面部１２ｄの略中央部に形成された突出部の骨組みであり、長方形状の枠体と、その中心から長方形状の枠体に放射状に延びる６本の突出部から構成されている。長方形状の枠体の四隅には、ネジ穴２３（２３ａ〜２３ｄ）が形成されている。
【００３０】
次に、携帯情報端末を保持する本体部１１のサイズ（寸法）について、図１〜図６を参照して説明する。本体部が保持する携帯情報端末は、所謂タブレット型の携帯情報端末３０である。タブレット型の携帯情報端末３０は、例えば、縦２００ｍｍ、横１３５ｍｍ、厚さ７．５ｍｍのサイズのもので、横倒しにしても（縦１３５ｍｍ、横２００ｍｍ）インストルメントパネルの開口部（９インチ画面用）の縦寸法より７〜１０ｍｍ大きいサイズとなっている。
【００３１】
図１に示すように、本体部１１における上側周壁部１３ａと下側周壁部１３ｃとの間の縦内法寸法Ｈを約１４０ｍｍ、左側周壁部１３ｄと帯状の蓋部１５の左端との横内法寸法Ｗを約２２５〜２３５ｍｍとする。さらに、底部１２の平坦部１２ａから上側周壁部１３ａ（右側周壁部１３ｂ、左側周壁部１３ｄ）の高さ（周壁の立ち上がり）寸法を１０ｍｍ〜１２ｍｍ、下側平坦部１２ｃから下側周壁部１３ｃの高さ寸法を２０〜２２ｍｍとする。このような寸法とすることで、図４に示すように、例えば下側周壁部１３ｃの前に、インストメントパネルの開口部５５の下端５５ａが、下側周壁部１３ｃより１０ｍｍ程度の立上げ部Ｈｓ（先端を鎖線で示す）として存在したとしても、横置き（携帯情報端末３０の長手方向を横方向）にした携帯情報端末３０を手前側に倒した状態にして立上げ部Ｈｓを乗り越え、携帯情報端末３０の下端を本体部１１の下側平坦部１２ｃと下側周壁部１３ｃとの間に向けて本体部１１に挿入することができる。
【００３２】
本体部１１に挿入された携帯情報端末３０は、本体部１１の上記した内法寸法のため、図５に示すように、携帯情報端末３０の裏面と、底部１２の平坦部１２ａとが当接するように傾斜状態から立設状態に立上げることができる。そして、上記寸法により図６に示すように、携帯情報端末３０を右側にスライド移動させて、携帯情報端末３０の右側端部を、平坦部１２ａと帯状の蓋部１５との間に挿入することで、携帯情報端末３０の端子（不図示）が接続端子１６と接続可能になる。また、前述したように携帯情報端末３０のホームボタン３０ａの操作を確保すべく、帯状の蓋部１５の左端中央には半円形の切欠き部２７が形成されている。
【００３３】
次に、図７〜図９を参照して、本体部１１に取付け具２０を装着して成る、本実施形態に係る車両内保持装置１０について説明する。本体部１１の裏面部１９に形成された装着リブ２１に取付け具２０がネジ止めにより装着されている（図８）。取付け具２０には、装着リブ２１のネジ穴２３（２３ａ〜２３ｄ）に対応するネジ穴３４（３４ａ〜３４ｄ）が形成されており、当該ネジ穴３４（３４ａ〜３４ｄ）から挿入されたネジ３５（３５ａ〜３５ｄ）が、装着リブ２１のネジ穴２３（２３ａ〜２３ｄ）に螺着される。なお、ネジ３５（３５ａ〜３５ｄ）は、装着リブ２１と取付け具２０との間にナット３６（３６ａ〜３６ｄ）が開口内部の既存取付け具との距離調整を兼ねて螺合されている。また、取付け具２０の四隅には、車両の内装パネル（インストルメントパネル）の開口内部の既存取付け部に取り付けるためのネジ穴３８（３８ａ〜３８ｄ）が形成されている。なお、本実施形態において取付け具２０は、扁平な板状金具としているがこれに限定するものでない。例えば、車両の内装パネル（インストルメントパネル）の開口内部の既存取付け具に取り付けてあったオーディオ装置等（不図示）の取付け具を転用し、これに適合する補助金具（例えばＬ字型金具等）を使用してもよい。
【００３４】
次に、図１０〜図１３を参照して、本発明の実施形態に係る携帯情報端末の車両内保持装置１０を、車両の内装パネル（インストルメントパネル）の開口に取り付ける手順を説明する。図１０、図１１に示すように、車両内のダッシュボードの中央部分にあるインストルメントパネル５１のカバー部５２を取り外し、オーディオ装置又はカーナビ装置が装着されていたインストルメントパネル５１の開口部５５の内部にある基台５３上の既存取付け具（不図示）に車両内保持装置１０を取付ける。カバー部５２は、インストルメントパネル５１の基台５３に嵌め込みにより装着されているので、着脱可能となっている。図１１に示すように、カバー部５２を取り外した後、オーディオ装置又はカーナビ装置が装着されていた基台５３上の既存取付け具のネジ穴（不図示）と、車両内保持装置１０の取付け具２０のネジ穴３８（３８ａ〜３８ｄ）とを対応させて、ネジ３９（３９ａ〜３９ｄ）で螺着する。このとき、充電用の配線１８ａ及び通信用の配線１８ｂを車両内の該当する配線と結線する。
【００３５】
次に、図１２に示すように、車両内保持装置１０を基台５３に螺着した後、カバー部５２を基台５３に嵌め込んで装着する。このとき、カバー部５２の開口部５５の縦寸法は、本体部１１における上側周壁部１３ａと下側周壁部１３ｃとの間の縦内法寸法Ｈよりも小さく、開口部５５の下端５５ａが本体部１１の下側周壁部１３ｃより上に立上げ部Ｈｓとして７〜１０ｍｍ突出している状態となっている（図４参照）。そのため、車両内保持装置１０に携帯情報端末３０を保持させるためには、図４に示すように、カバー部５２の開口部５５の下端５５ａを越え、携帯情報端末３０を手前側に傾斜させて本体部１１に挿入する。そして、携帯情報端末３０の裏面を本体部１１の底部１２の平坦部１２ａに当接するようにして、携帯情報端末３０を起立させる。
【００３６】
車両内保持装置１０の本体部１１で起立された携帯情報端末３０は、図１３に示すように、右方向にスライド移動させ、携帯情報端末３０の右側端部を底部１２と帯状の蓋部１５との間に挿入させる。このとき、携帯情報端末３０の右側端部が本体部１１の底部１２と帯状の蓋部１５との間に挟持され、更に携帯情報端末３０の下側端部が本体部の底部１２とインストルメントパネルのカバー部５２の開口部５５における下端５５ａとの間で挟持されるので、安定的な保持が可能となる。更に、底部１２と帯状の蓋部１５との間に設けられた接続端子１６に携帯情報端末３０の端子（不図示）が接触するので、充電用の配線１８ａにより携帯情報端末３０への充電が可能となると共に、通信用の配線１８ｂにより、例えば携帯情報端末３０に記憶された楽曲を車両内のスピーカー（不図示）で聴くことが可能となる。また、帯状の蓋部１５の中央左端には、半円形の切欠き部２７が形成されており、携帯情報端末３０のホームボタン３０ａの操作が可能となっている（図１３参照）。なお、接続端子１６は、充電用又は接続用の何れか一方の配線と接続したものでもよい。
【００３７】
上記したように、本実施形態に係る携帯情報端末の車両内保持装置１０によれば、車両の内装パネルであるインストルメントパネル５１のカバー部５２の開口部５５のサイズが携帯情報端末のサイズより小さい場合でも、車両内保持装置１０の本体部１１の底部１２に傾斜部１２ｂを形成しているので、携帯情報端末３０を手前側に傾斜した状態で開口部５５から本体部１１に挿入してから起立状態にして保持させることができる。なお、車両内保持装置１０が保持する携帯情報端末３０は、上記したタブレット型の情報携帯端末に限定されず、スマートフォン等も含まれる。上記した車両内保持装置１０の本体部の各サイズ（寸法）は一例であり、保持する携帯情報端末及び車両の内装パネル（例えば、インストルメントパネル）の開口のサイズ等によって適切な数値に定めることができる。
【００３８】
このように、インストルメントパネル５１のカバー部５２の開口部５５内部に、携帯情報端末の車両内保持装置１０を装着するので、車両内の外観を損ねることなく運転手の視認性を良好に保ち、かつ携帯情報端末３０によりエアコンの送風口５７（図１３等で鎖線で示す）が妨げられることがない。車両内保持装置１０の本体部１１のサイズは、保持する携帯情報端末３０のサイズに合わせており、携帯情報端末のサイズが車両の内装パネルの開口部のサイズより大きい場合でも、本体部１１に傾斜部を設けているので、携帯情報端末を傾斜した状態で開口部から挿入して本体部に収納させることができる。
【００３９】
なお、図３、図４等に示す底部１２の平坦部１２ａ、傾斜部１２ｂ及び下側平坦部１２ｃの位置は上記に限定されず、境界線１７から下を平坦部１２ａ、境界線１７から上を傾斜部１２ｂ（更に上側平坦部）としても良い。底部１２の平坦部１２ａを下側に、傾斜部１２ｂを上部側にする場合には、開口部５５の下端５５ａと下側周壁部１３ｃとが同一高さとなり、開口部５５の上端が上側周壁部１３ａより下に突出することになる。このときは、携帯情報端末３０を上部側の傾斜部に向けて斜めに挿入してから、携帯情報端末を立ち上げて保持することができる。このようにすると、開口部５５の下端５５ａと下側周壁部１３ｃとが同一高さとなるので、下側周壁部１３ｃ及び開口部５５の下側に溜まるゴミ等の取り出しが容易となり、ゴミの堆積を防止することができる。さらに、帯状の蓋部１５を底部１２の左端部側に設けることもできるので、携帯情報端末３０のホームボタンを左側にした状態で保持することが可能である。
【産業上の利用可能性】
【００４０】
以上、説明したように、本発明に係る携帯情報端末の車両内保持装置は、車両の内装パネルの開口部のサイズが携帯情報端末のサイズより小さい場合でも、傾斜部の方から携帯情報端末を挿入するように斜めに入れてから立ち上げることで、本体部で安定的に保持することができるという効果を奏し、車両の内装パネルの開口部に取り付けられる、携帯情報端末の車両内保持装置として有用である。
【符号の説明】
【００４１】
１０    携帯情報端末の車両内保持装置
１１    本体部
１２    底部
１２ａ  平坦部
１２ｂ  傾斜部
１２ｃ  下側平坦部
１３    周壁部
１３ａ  上側周壁部
１３ｂ  右側周壁部
１３ｃ  下側周壁部
１３ｄ  左側周壁部
１５    蓋部
１６    接続端子
１７    境界線
１８ａ  充電用の配線
１８ｂ  通信用の配線
１９    裏面部
１９ａ  平坦部
１９ｂ  傾斜部
２０    取付け具
２１    装着リブ
２３ａ〜２３ｂ  ネジ穴
２７    切欠き部（切欠き）
３４ａ〜３４ｄ  ネジ穴
３５ａ〜３５ｄ  ネジ
３６ａ〜３６ｄ  ナット
３８ａ〜３８ｄ  ネジ穴
５１    インストルメントパネル
５２    カバー部
５３    基台
５５    開口部
５５ａ  開口部下端
【図１】
2019064347.tif 000003
【図２】
2019064347.tif 000004
【図３】
2019064347.tif 000005
【図４】
2019064347.tif 000006
【図５】
2019064347.tif 000007
【図６】
2019064347.tif 000008
【図７】
2019064347.tif 000009
【図８】
2019064347.tif 000010
【図９】
2019064347.tif 000011
【図１０】
2019064347.tif 000012
【図１１】
2019064347.tif 000013
【図１２】
2019064347.tif 000014
【図１３】
2019064347.tif 000015